【手続補正書】
【提出日】平成21年6月27日(2009.6.27)
【手続補正１】
【補正対象書類名】特許請求の範囲
【補正対象項目名】全文
【補正方法】変更
【補正の内容】
【特許請求の範囲】
【請求項１】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」をネットワークを介して受信したことに基づいて、前記の陳列商品又はその種類が「売り切れ、売約済み、売買予約済み、又は、在庫品の無い状態（陳列された現物のみしかない状態）」となったことを、少なくとも店舗における実際の来店客に知らせるように、前記告知手段を制御するための告知制御手段と、
を含むことを特徴とする、ネットワークを利用した遠隔商品販売のための装置。
【請求項２】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」をネットワークを介して受信したことに基づいて、前記の陳列商品又はその種類が「売り切れ、売約済み、売買予約済み、又は、在庫品の無い状態（陳列された現物のみしかない状態）」となったことを、少なくとも店舗における実際の来店客に知らせるように、前記告知手段を制御するための告知制御手段と、
を含むことを特徴とする、ネットワークを利用した遠隔商品販売のための装置。
【請求項３】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」を、ネットワークを介して受信するための購入申込み等受信手段と、
前記購入申込等受信手段からの信号に基づいて、前記の陳列商品又はその種類が「売り切れ、売約済み、売買予約済み、又は、在庫品の無い状態（陳列された現物のみしかない状態）」となったことを、少なくとも店舗における実際の来店客に知らせるように、前記告知手段を制御するための告知制御手段と、
を含むことを特徴とする、ネットワークを利用した遠隔商品販売のための装置。
【請求項４】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」を、ネットワークを介して受信するための購入申込等受信手段と、
前記購入申込等受信手段からの信号に基づいて、前記の陳列商品又はその種類が「売り切れ、売約済み、売買予約済み、又は、在庫品の無い状態（陳列された現物のみしかない状態）」となっていることを、少なくとも店舗における実際の来店客に知らせるように、前記告知手段を制御するための告知制御手段と、
を含むことを特徴とする、ネットワークを利用した遠隔商品販売のための装置。
【請求項５】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」を、ネットワークを介して受信するための購入申込等受信手段と、
前記購入申込等受信手段からの信号に基づいて、前記の陳列商品又はその種類が「売り切れ、売約済み、売買予約済み、又は、在庫品の無い状態（陳列された現物のみしかない状態）」となったかどうかを判定し、その結果を示す信号を出力する判定手段と、
前記判定手段からの信号に基づいて、前記の陳列商品又はその種類が「売り切れ、売約済み、売買予約済み、又は、在庫品の無い状態（陳列された現物のみしかない状態）」となっていることを、少なくとも店舗における実際の来店客に知らせるように、前記告知手段を制御するための告知制御手段と、
を含むことを特徴とする、ネットワークを利用した遠隔商品販売のための装置。
【請求項６】
「店舗において陳列されている一つ又は複数の陳列商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における各陳列商品別に又は陳列商品の各種類別に、前記陳列商品の表面又は近傍の位置であって前記の各陳列商品又は陳列商品の各種類との１対１の関係が分かるような表面又は近傍の位置に配置されている告知手段であって、或る陳列商品又はその種類が「売り切れ、売約済み、売買予約済み、又は、在庫品の無い状態（陳列された現物のみしかない状態）」となっていることを、少なくとも店舗における実際の来店客に知らせるための告知手段と、
前記のネットワーク上のユーザー側からの、前記映像の中に含まれる少なくとも一つの陳列商品についての「購入若しくは購入予約の申込み、又は購入のため若しくは購入予約のために必要な情報」を、ネットワークを介して受信するための購入申込等受信手段と、
或る陳列商品について、前記ネットワーク上のユーザー側からの「その購入若しくはその購入予約の申込み、又はその購入のため若しくはその購入予約のために必要な情報」が店舗側に受信されたことにより、前記の陳列商品又はその種類が「売り切れ、売約済み、売買予約済み、又は、在庫品の無い状態（陳列された現物のみしかない状態）」となったことを示す信号を出力する信号出力手段と、
前記信号出力手段からの信号に基づいて、前記の陳列商品又はその種類が「売り切れ、売約済み、売買予約済み、又は、在庫品の無い状態（陳列された現物のみしかない状態）」となっていることを、少なくとも店舗における実際の来店客に知らせるように、前記告知手段を制御するための告知制御手段と、
を含むことを特徴とする、ネットワークを利用した遠隔商品販売のための装置。
【請求項７】
「店舗において陳列されている一つ又は複数の現物限りの商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における現物限りの商品の表面又は近傍の位置であって前記現物限りの商品との１対１の関係が分かるような表面又は近傍の位置に配置されている告知手段であって、或る現物限りの商品が「売り切れ、売約済み、又は売買予約済み」となっていることを、少なくとも店舗における実際の来店客に知らせるための告知手段と、
前記のネットワーク上のユーザー側からの、前記映像の中に含まれる少なくとも一つの現物限りの商品についての「購入若しくは購入予約の申込み、又は購入のため若しくは購入予約のために必要な情報」を、ネットワークを介して受信するための購入申込等受信手段と、
前記購入申込等受信手段からの信号に基づいて、前記現物限りの商品が「売り切れ、売約済み、又は売買予約済み」となっていることを、少なくとも店舗における実際の来店客に知らせるように、前記告知手段を制御するための告知制御手段と、
を含むことを特徴とする、ネットワークを利用した遠隔商品販売のための装置。
【請求項８】
「店舗において陳列されている一つ又は複数の現物限りの商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における現物限りの商品の表面又は近傍の位置であって前記現物限りの商品との１対１の関係が分かるような表面又は近傍の位置に配置されている告知手段であって、前記現物限りの商品が「売り切れ、売約済み、又は売買予約済み」となっていることを、少なくとも店舗における実際の来店客に知らせるための告知手段と、
前記のネットワーク上のユーザー側からの、前記映像の中に含まれる少なくとも一つの現物限りの商品についての「購入若しくは購入予約の申込み、又は購入のため若しくは購入予約のために必要な情報」を、ネットワークを介して受信するための購入申込等受信手段と、
或る現物限りの商品について、前記ネットワーク上のユーザー側からの「その購入若しくはその購入予約の申込み、又はその購入のため若しくはその購入予約のために必要な情報」を、店舗側が受信したことを示す信号を出力する信号出力手段と、
前記信号出力手段からの信号に基づいて、前記現物限りの商品が「売り切れ、売約済み、又は売買予約済み」となっていることを、少なくとも店舗における実際の来店客に知らせるように、前記告知手段を制御するための告知制御手段と、
を含むことを特徴とする、ネットワークを利用した遠隔商品販売のための装置。
【請求項９】
「店舗において陳列されている一つ又は複数の現物限りの商品」を含む映像を取得するための映像取得手段と、
前記映像取得手段が取得した映像又はこれに基づく映像を、ネットワーク（衛星放送を含む。以下同じ）を介して、ネットワーク上のユーザーへの販売の対象商品を示すものとして、ネットワーク上のユーザー側に送信するための映像送信手段と、
店舗における現物限りの商品の表面又は近傍の位置であって前記現物限りの商品との１対１の関係が分かるような表面又は近傍の位置に配置されている告知手段であって、或る現物限りの商品が「売り切れ、売約済み、又は売買予約済み」となっていることを、少なくとも店舗における実際の来店客に知らせるための告知手段と、
前記のネットワーク上のユーザー側からの、前記映像の中に含まれる少なくとも一つの現物限りの商品についての「購入若しくは購入予約の申込み、又は購入のため若しくは購入予約のために必要な情報」を、ネットワークを介して受信するための購入申込等受信手段と、
或る現物限りの商品について、前記ネットワーク上のユーザー側からの「その購入若しくはその購入予約の申込み、又はその購入のため若しくはその購入予約のために必要な情報」が店舗側に受信されたことにより、前記現物限りの商品が「売り切れ、売約済み、又は売買予約済み」となったことを示す信号を出力する信号出力手段と、
前記信号出力手段からの信号に基づいて、前記現物限りの商品が「売り切れ、売約済み、又は売買予約済み」となっていることを、少なくとも店舗における実際の来店客に知らせるように、前記告知手段を制御するための告知制御手段と、
を含むことを特徴とする、ネットワークを利用した遠隔商品販売のための装置。
【請求項１０】
現実の店舗内に配置された識別情報等記録手段であって、現実の店舗において陳列されている各「陳列商品（特定物）又は陳列商品（不特定物）の種類」（以下『商品等』という）との１対１の関係が分かるような位置（前記各商品の表面をも含む）に配置されており、「前記の自らが配置された位置に対応する『商品等』を識別するための識別情報もしくは前記『商品等』についてのユーザーの感想にアクセスするための情報その他の前記識別情報に対応する情報」（後述の感想記録手段に記録されている「情報」と同一の又はこれと対応する情報。以下「識別情報等」という）を記録しておくための識別情報等記録手段と、
現実の店舗内に配置された識別情報等送信手段（前記識別情報等記録手段とハードウェア的に一体でもよいし別体でもよい）であって、前記識別情報等記録手段に記録されている識別情報等を、現実の店舗内においてユーザーが所持もしくは携帯する情報機器（前記各『商品等』の近傍に存在している情報機器）に向けて、近距離無線により、送信するための識別情報等送信手段と、
ユーザーから見て通信ネットワークの向こう側に在る感想受信手段であって、各『商品等』に関するユーザーの感想を、複数のユーザー側から通信ネットワークを介して受信するための感想受信手段と、
ユーザーから見て通信ネットワークの向こう側に在る感想記録手段であって、前記感想受信手段により受信された各『商品等』に関するユーザーの感想を、「前記の各『商品等』を識別するための識別情報もしくは前記各『商品等』についてのユーザーの感想にアクセスするための情報その他の前記識別情報に対応する情報」（前記識別情報等記録手段が各『商品等』と対応付けてそれぞれ記録している識別情報等と同一の又はこれと対応する情報）と対応付けて記録しておくための感想記録手段と、
ユーザーから見て通信ネットワークの向こう側に在る送信要求受信手段であって、ユーザー側から送信されてきた「前記識別情報等に対応する或る『商品等』についての他のユーザーの感想の送信を求める送信要求」を受信するための送信要求受信手段と、
ユーザーから見て通信ネットワークの向こう側に在る感想送信手段であって、前記ユーザー側からの送信要求に対応して、「前記感想記録手段に記録されている、前記送信要求に対応する『商品等』についての他のユーザーの感想」を、前記要求を送信してきたユーザー側に向けて送信するための感想送信手段と、
を含み、前記感想送信手段は、前記現実の店舗内に居るユーザー側からの送信要求であって前記識別情報等送信手段により近距離無線で送信された「前記現実の店舗内に陳列されている或る『商品等』を識別するための識別情報等」に対応する『商品等』についての他のユーザーの感想を送信してくれとの送信要求が、前記送信要求受信手段により受信されたとき、「前記感想記録手段に記録されている、前記識別情報等に対応する『商品等』についての他のユーザーの感想」を、前記ユーザー側に向けてネットワーク経由で送信するものである、ことを特徴とする店舗内の陳列商品に関する情報提供装置。